(57)【要約】【課題】回路基板と端子金具との接続安定性を向上させる。【解決手段】基板用コネクタ１０は、基板９０に取り付けられるものであって、基板９０の表面に沿って配置されてこの基板９０の表面に形成された導電部に接触する第３延出部４３を有する複数の端子金具４０と、各端子金具４０が装着されるコネクタハウジング２０と、第３延出部４３を基板９０の表面に押し付ける押付部６３を有するとともに、基板９０に固定される固定部６９を有するアタッチメント６０とを備える。【選択図】図１
2013033642.tif 000002
【特許請求の範囲】
【請求項１】
回路基板に取り付けられる基板用コネクタであって、
前記回路基板の表面に沿って配置されてこの回路基板の表面に形成された導電部に接続される基板接続部を有する複数の端子金具と、
前記複数の端子金具が装着されるコネクタハウジングと、
前記基板接続部を前記回路基板の表面に押し付ける押付部を有するとともに、前記回路基板に固定される固定部を有するアタッチメントとを備えることを特徴とする基板用コネクタ。
【請求項２】
前記固定部が、前記押付部を挟んだ両側に対をなして配置されていることを特徴とする請求項１記載の基板用コネクタ。
【請求項３】
前記コネクタハウジングには受け部が突出して形成され、前記固定部には前記回路基板に固定された状態で前記受け部を前記回路基板との間に挟み込む固定本体部が形成されていることを特徴とする請求項１又は２記載の基板用コネクタ。
【請求項４】
前記アタッチメントが、前記押付部に連結されるとともにこの押付部と対向して配置される補強部を有することを特徴とする請求項１ないし３のいずれか１項記載の基板用コネクタ。
【発明の詳細な説明】
【技術分野】
【０００１】
本発明は、基板用コネクタに関する。
【背景技術】
【０００２】
特許文献１には、従来の基板用コネクタが開示されている。このものは、回路基板（以下、単に基板という）の表面に実装されるものであって、複数の端子金具と、各端子金具が装着されるコネクタハウジングとを備えている。コネクタハウジングの両側面には金属製の一対のペグが取り付けられ、両ペグが基板に半田付けにより固定されることにより、コネクタハウジングが両ペグを介して基板に固定される。また、各端子金具は、コネクタハウジングの後面から外部に引き出される部分を有し、さらに基板の表面に沿って配置される基板接続部を有する。基板の表面には導電部が形成され、この導電部に基板接続部が半田付けにより接続される。
【先行技術文献】
【特許文献】
【０００３】
【特許文献１】特開２０１０−１１３８４８号公報
【発明の概要】
【発明が解決しようとする課題】
【０００４】
ところで、上記従来の基板用コネクタの場合、各基板接続部の高さ位置が揃っていないと、コプラナリティのばらつきにより、各基板接続部と基板との接続が不安定になるという問題がある。
【０００５】
本発明は上記のような事情に基づいて完成されたものであって、回路基板と端子金具との接続安定性を向上させることを目的とする。
【課題を解決するための手段】
【０００６】
上記の目的を達成するための手段として、請求項１の発明は、回路基板に取り付けられる基板用コネクタであって、前記回路基板の表面に沿って配置されてこの回路基板の表面に形成された導電部に接続される基板接続部を有する複数の端子金具と、前記複数の端子金具が装着されるコネクタハウジングと、前記基板接続部を前記回路基板の表面に押し付ける押付部を有するとともに、前記回路基板に固定される固定部を有するアタッチメントとを備えるところに特徴を有する。
【０００７】
請求項２の発明は、請求項１に記載のものにおいて、前記固定部が、前記押付部を挟んだ両側に対をなして配置されているところに特徴を有する。
【０００８】
請求項３の発明は、請求項１又は２に記載のものにおいて、前記コネクタハウジングには受け部が突出して形成され、前記固定部には前記回路基板に固定された状態で前記受け部を前記回路基板との間に挟み込む固定本体部が形成されているところに特徴を有する。
【０００９】
請求項４の発明は、請求項１ないし３のいずれか１項に記載のものにおいて、前記アタッチメントが、前記押付部に連結されるとともにこの押付部と対向して配置される補強部を有するところに特徴を有する。
【発明の効果】
【００１０】
＜請求項１の発明＞
アタッチメントの押付部によって各端子金具の基板接続部が回路基板の表面に押し付けられるから、各基板接続部が回路基板の表面に沿って揃えられ、導電部に確実に接続させられる。したがって、本発明によれば、回路基板と端子金具との接続安定性を向上させた基板用コネクタが提供される。
【００１１】
＜請求項２の発明＞
固定部が押付部を挟んだ両側に対をなして配置されているため、押付部が各基板接続部を押し付ける状態が確実に保持される。
【００１２】
＜請求項３の発明＞
固定部が回路基板に固定され、受け部が固定本体部と回路基板との間に挟まれるため、コネクタハウジングが固定部を介して回路基板に固定される。その結果、別体のペグ等を省略することができ、コスト高となるのが抑えられる。
【００１３】
＜請求項４の発明＞
アタッチメントが押付部に連結されるとともに押付部と対向して配置される補強部を有するため、押付部が反り変形等するのが回避され、各基板接続部を押し付ける面の平面性が保たれる。
【図面の簡単な説明】
【００１４】
【図１】本発明の実施形態１に係る基板用コネクタの背面図である。
【図２】基板用コネクタの正面図である。
【図３】基板用コネクタの側面図である。
【図４】基板用コネクタの断面図である。
【図５】端子金具が装着されたコネクタハウジングの断面図である。
【図６】端子金具が装着されたコネクタハウジングの平面図である。
【図７】アタッチメントの背面図である。
【図８】アタッチメントの底面図である。
【発明を実施するための形態】
【００１５】
＜実施形態１＞
本発明の実施形態１を図１ないし図８によって説明する。実施形態１に係る基板用コネクタ１０は、回路基板（以下、単に基板９０という）の表面に実装されるものであって、コネクタハウジング２０と、複数の端子金具４０と、アタッチメント６０とを備えている。
【００１６】
コネクタハウジング２０は合成樹脂製であって、図２及び図５に示すように、角筒状のフード部２１を有している。フード部２１は、幅方向に長く延びて前方に開口する形態とされ、前方から図示しない相手コネクタハウジングが嵌合可能とされている。また、図６に示すように、フード部２１の奥壁２２の幅方向両端部には、一対の保護壁２３が後方に突出して形成されている。両保護壁２３は、互いにほぼ平行に対向して配置され、奥壁２２から引き出される各端子金具４０の露出部分（後述する第１延出部４１のほぼ後半部、第２延出部４２、及び第３延出部４３）を幅方向両側から保護する役割をはたす。
【００１７】
また、両保護壁２３の外側面の下端部には、一対の受け部２４が両側方に突出して形成されている。受け部２４は、板状をなし、基板９０への取り付け時に基板９０の表面に載置される。そして、受け部２４には、受け孔２５が板厚方向に貫通して形成されている。受け孔２５は、受け部２４の突出端に開口するとともに、受け部２４の突出方向の全長に亘って延びる形態とされている。本実施形態の場合、受け部２４はアタッチメント６０の固定部６９（後述する）と基板９０との間に挟まれ、これによってコネクタハウジング２０は固定部６９を介して基板９０に固定されるようになっている。なお、フード部２１の両側壁には、基板９０への取り付けのためのペグ等の固定具は装着されていない。
【００１８】
端子金具４０は金属製のピン状をなし、図５に示すように、ほぼ水平に延びる第１延出部４１と、第１延出部４１の後端からほぼ直角に屈曲されて下方へほぼ垂直に延びる第２延出部４２と、第２延出部４２の下端からほぼ直角に屈曲されて後方へほぼ水平に延びる第３延出部４３とからなる。第１延出部４１は、フード部２１の奥壁２２を圧入又はインサートにより貫通する形態とされ、そのほぼ前半部がフード部２１内に突出して配置され、そのほぼ後半部がフード部２１外に突出して配置される。第１延出部４１のほぼ前半部は、両コネクタハウジングの嵌合時に相手コネクタハウジングに装着された相手端子金具（図示せず）に接続される端子接続部として構成される。なお、各端子金具４０は、奥壁２２の幅方向に並んで配置されている。
【００１９】
第３延出部４３は、図４に示すように、基板９０への取り付け時に基板９０の表面に沿って配置され、基板９０の表面に形成された導電部（図示せず）に半田付けにより接続される基板接続部として構成される。
【００２０】
続いてアタッチメント６０について説明すると、アタッチメント６０は合成樹脂製であって、図７及び図８に示すように、全体として幅方向に長い板状の形態とされている。詳しくは、アタッチメント６０は、幅方向に延びる基部６１（本発明の補強部に相当する）と、基部６１の幅方向両端からほぼ直角に屈曲されて下方（基板９０側）へほぼ垂直に延びる一対の脚部６２と、基部６１のほぼ後半部に下側から対向して配置されて幅方向に延びる押付部６３と、基部６１の下面の幅方向両側から下方へほぼ垂直に延びてその下端で押付部６３の幅方向両端に連なる一対の連結部６４とを有している。脚部６２及び連結部６４は互いにほぼ平行に配置され、基部６１及び押付部６３も互いにほぼ平行に配置されている。基部６１、押付部６３、及び両連結部６４によって、前後方向に貫通する四角筒状の箱部６５が構成されている。
【００２１】
そして、アタッチメント６０は、フード部２１の奥壁２２の後方でかつ両保護壁２３と前後方向で重なる位置に配置される。脚部６２と連結部６４との間には、図１に示すように、保護壁２３が進入する嵌合空間６６が形成されている。基部６１の前端縁は、幅方向に沿って延び、図４に示すように、フード部２１の奥壁２２の後面上端部と当接可能な支持縁６７とされている。また、押付部６３の下面は、幅方向にほぼ水平に延びる平坦な押付面６８とされ、各第３延出部４３の上面を押付可能とされている。
【００２２】
両脚部６２の下端には、アタッチメント６０を基板９０に固定するための一対の固定部６９が形成されている。両固定部６９は、図８に示すように、押付部６３を含む箱部６５を挟んだ幅方向両側に対をなし、押付部６３と前後方向で重なる位置に配置されている。詳しくは、固定部６９は、図７に示すように、脚部６２の下端から略直角に屈曲されて側方へほぼ水平に延びる固定本体部７１と、固定本体部７１の下面から下方へほぼ垂直に延びる弾性係止部７２とからなる。固定本体部７１は、基板９０への固定時に受け部２４に上方から重ねて配置され、受け部２４全体を覆うことが可能なサイズで構成されている。
【００２３】
弾性係止部７２は、図７及び図８に示すように、全体としてほぼ円柱状をなし、その幅方向中央部において前後方向に延びるスリット７３を介して撓み変形可能となる一対の弾性片７４を有している。弾性片７４の先端縁には、フランジ状の係止片７５が周方向に張り出して形成されている。そして、図１に示すように、弾性片７４は受け部２４の受け孔２５及び基板９０に形成された貫通孔９１に弾性的に挿入可能とされ、係止片７５は基板９０の裏面側における貫通孔９１の開口縁に係止可能とされる。係止片７５が基板９０の裏面側に係止されることにより、アタッチメント６０が基板９０に固定されるようになっている。
【００２４】
次に、実施形態１に係る基板用コネクタ１０の作用を説明する。
まず、基板９０の表面にコネクタハウジング２０が載せられる。このとき、受け部２４の受け孔２５と基板９０の貫通孔９１とが互いに連通する状態となるように位置合わせされる。また、基板９０の表面における第３延出部４３が載せられる位置には、予め半田ペーストが塗布されている。
【００２５】
続いて、基板９０に上方からアタッチメント６０を取り付ける。取り付けに際し、弾性係止部７２の先端部が受け部２４の受け孔２５と対向し、押付部６３が各第３延出部４３の上方を覆う位置となるように位置合わせされる。取付過程では、弾性片７４の弾性変形を伴いながら弾性係止部７２が受け孔２５及び貫通孔９１に順次挿入され、取付完了時には、弾性片７４が弾性的に復帰するとともに係止片７５が基板９０の裏面側に係止可能に配置される。これにより、図１ないし図３に示すように、固定本体部７１と係止片７５との間に基板９０及び受け部２４が弾性的に挟み込まれ、アタッチメント６０及びコネクタハウジング２０が基板９０に固定される。
【００２６】
また、アタッチメント６０が基板９０に取り付けられるに伴い、図１及び図４に示すように、押付部６３の押付面６８が各第３延出部４３に上方から当接し、各第３延出部４３が押付部６３によって基板９０の表面に押し付けられる。これにより、各第３延出部４３が、押付部６３と基板９０との間に挟持させられ、基板９０の表面に当接する状態が保持される。したがって、仮に、各第３延出部４３の高さ位置が揃っていなくても、アタッチメント６０の取り付けに伴い押付部６３によって強制的に基板９０側に押圧されることにより、各第３延出部４３が基板９０の表面に沿った同一平面に均された状態となる。
【００２７】
また、図４に示すように、基部６１の支持縁６７がフード部２１の奥壁２２に後方から当接可能に配置され、これによってフード部２１の後退や傾倒が防止される。その後、上記により基板９０に取り付けられた基板用コネクタ１０はリフロー炉に通される。すると、半田ペーストが溶融して各第３延出部４３に付着され、これが冷却固化されることにより、各第３延出部４３が基板９０の導電路に導通接続される。
【００２８】
以上説明したように、本実施形態によれば、各第３延出部４３がアタッチメント６０の押付部６３によって基板９０の表面に押し付けられるため、各第３延出部４３のコプラナリティの精度が高められる。その結果、各第３延出部４３が基板９０の表面に形成された導電部に確実に接続され、接続安定性が高められる。
【００２９】
また、固定部６９が押付部６３を挟んだ幅方向両側に対をなして配置されているため、押付部６３が各第３延出部４３を押し付ける状態が確実に保持される。さらに、固定部６９が基板９０に固定され、受け部２４が固定本体部７１と基板９０との間に挟み込まれるため、コネクタハウジング２０が固定部６９を介して基板９０に固定される。その結果、別体のペグ等を省略することができ、コスト高となるのが抑えられる。
【００３０】
さらにまた、アタッチメント６０が押付部６３に連結されるとともに押付部６３と対向して配置される基部６１を有するため、押付部６３が反り変形等するのが回避され、各第３延出部４３を押し付ける押付面６８の平面性が保たれる。
【００３１】
＜他の実施形態＞
本発明は上記記述及び図面によって説明した実施形態に限定されるものではなく、例えば次のような実施形態も本発明の技術的範囲に含まれる。
（１）コネクタハウジングがアタッチメントの固定部とは別に基板に対して独立して固定される固定手段を有するものであってもよい。
（２）アタッチメントがコネクタハウジングとヒンジ等を介して一体化されているものであってもよい。
（３）構成簡素化のため、アタッチメントから基部及び連結部を省略することも可能である。
（４）回路基板への取り付け前にアタッチメントがコネクタハウジングに装着される構成であってもよい。
（５）端子金具はコネクタハウジングに対し高さ方向に複数段に分かれて装着されるものであってもよい。
【符号の説明】
【００３２】
１０…基板用コネクタ
２０…コネクタハウジング
２１…フード部
２４…受け部
４０…端子金具
４１…第１延出部
４２…第２延出部
４３…第３延出部（基板接続部）
６０…アタッチメント
６１…基部（補強部）
６３…押付部
６５…箱部
６８…押付面
６９…固定部
７１…固定本体部
９０…基板（回路基板）
【図１】
2013033642.tif 000003
【図２】
2013033642.tif 000004
【図３】
2013033642.tif 000005
【図４】
2013033642.tif 000006
【図５】
2013033642.tif 000007
【図６】
2013033642.tif 000008
【図７】
2013033642.tif 000009
【図８】
2013033642.tif 000010